(57)【要約】【課題】外部装置から受信したジョブにしたがって画像形成する場合に、部単位で指定された位置に区切りを示すための仕切り紙を挿入する画像形成装置を提供する。【解決手段】仕切り紙の挿入位置、仕切り紙毎に印刷する情報、及び印刷ジョブを端末装置１８０から受信するＮＩＣ１１０と、印刷ジョブにしたがって記録紙に画像を形成する画像形成部１２２と、記録紙及び仕切り紙を排出する排出部と、制御部１０２とを備え、挿入位置は、画像が全て形成された記録紙の集合を１部とする部単位で指定され、制御部は、排出部に、挿入位置から決定された部数の記録紙を排出させた後、情報が印刷された仕切り紙を排出させる。これにより、部単位で指定される任意の位置に、所定情報が印刷された仕切り紙を挿入することができるので、ユーザは出力された記録紙を容易に扱うことができる。【選択図】図１
2013237205.tif 000002
【特許請求の範囲】
【請求項１】
表面に画像が形成された後に排出される複数の記録紙の間に、区切りを示すための仕切り紙を挿入する画像形成装置であって、
前記仕切り紙の挿入位置を特定する挿入位置データ、前記仕切り紙毎に画像として形成する情報を特定する情報特定データ、及び、前記記録紙への画像形成を指示する画像形成ジョブを外部装置から受信する受信手段と、
前記画像形成ジョブから画像データを生成する画像データ生成手段と、
前記画像データ生成手段により生成された前記画像データにしたがって前記記録紙に画像を形成する画像形成手段と、
画像が形成された前記記録紙、及び前記仕切り紙を排出する排出手段と、
前記排出手段を制御する制御手段とを備え、
前記挿入位置データは、前記画像形成ジョブにしたがって画像が全て形成された記録紙の集合を１部とする部単位で、前記挿入位置を特定し、
前記制御手段は、前記排出手段に、画像が形成された前記記録紙を、前記挿入位置データから決定された部数排出した後、前記仕切り紙を排出させ、
前記画像形成手段は、前記仕切り紙が排出される前に、前記仕切り紙に前記情報を画像として形成することを特徴とする画像形成装置。
【請求項２】
前記情報特定データは、前記外部装置のプリンタドライバによって生成される、前記仕切り紙毎に情報を画像として形成するための仕切り紙ジョブであり、
前記仕切り紙ジョブから画像データを生成する仕切り紙画像データ生成手段をさらに備え、
前記画像形成手段は、前記仕切り紙が排出される前に、前記仕切り紙画像データ生成手段により生成された画像データにしたがって前記仕切り紙に前記情報を画像として形成することを特徴とする請求項１に記載の画像形成装置。
【請求項３】
前記情報特定データから画像データを生成する仕切り紙画像データ生成手段をさらに備え、
前記画像形成手段は、前記仕切り紙が排出される前に、前記仕切り紙画像データ生成手段により生成された画像データにしたがって前記仕切り紙に前記情報を画像として形成することを特徴とする請求項１に記載の画像形成装置。
【請求項４】
前記画像形成手段は、前記仕切り紙が排出される前に、前記情報特定データから画像データを生成し、当該画像データにしたがって前記仕切り紙に前記情報を画像として形成することを特徴とする請求項１に記載の画像形成装置。
【請求項５】
前記画像形成手段は、
最初に排出される仕切り紙に、当該仕切り紙が排出されるまでに排出される前記集合の数よりも１大きい値を表す画像を形成し、
２番目以降に排出される仕切り紙に、当該仕切り紙の直前に排出される仕切り紙の次から当該仕切り紙の直前までに排出される前記集合の数よりも１大きい値を表す画像を形成することを特徴とする請求項１から４の何れか１項に記載の画像形成装置。
【発明の詳細な説明】
【技術分野】
【０００１】
本発明は、外部装置から受信したジョブにしたがって画像形成されて排出される複数の記録紙において、部単位で指定された任意の位置に、区切りを示すための仕切り紙を挿入することができる画像形成装置に関する。
【背景技術】
【０００２】
多くの事業所（会社、事務所等）において、電子機器である画像処理装置の１種として、記録紙に画像を形成（以下、印刷ともいう）する画像形成装置（代表的にはコピー機）が導入されている。このような事業所において、コピー機能及びプリンタ機能等を備えた複数の画像形成装置をネットワークに接続し、これらを複数のユーザで共用するケースが多くなっている。このような画像形成装置の１種である複合機（ＭｕｌｔｉＦｕｎｃｔｉｏｎ  Ｐｅｒｉｐｈｅｒａｌ）は、コピーモード、ファクシミリモード（以下、ファクシミリをＦＡＸともいう）、ネットワーク対応のプリンタモード、及びスキャナモードのように、複数の基本的な動作モードを備える。
【０００３】
画像形成装置は、画像形成（コピー及びプリント）自体の機能以外に、ユーザが印刷物の取扱いを容易にするための機能を備えている。その機能の一つとして、印刷物の区切りが容易に分かるように仕切り紙を挿入する機能が知られている。例えば、下記特許文献１には、排出後の処理が容易な学校向きの画像形成装置が開示されている。この画像形成装置は、仕切り紙モードが選択された場合、部と部との切れ目に、即ち印刷物を１部排出する毎に、所定の紙を挿入することが記載されている。
【先行技術文献】
【特許文献】
【０００４】
【特許文献１】特開２００１−７５４３１号公報
【発明の概要】
【発明が解決しようとする課題】
【０００５】
上記のように、従来の仕切り紙は、印刷物の１部毎に挿入する、又は指定のページに挿入するように設定することはできるが、指定部数を区別するために挿入するように設定することはできない。したがって、部署毎に異なる部数の印刷物を配布するような場合、仕切り紙が挿入されて排出された複数部数の印刷物を、ユーザが必要部数を数えて区分する必要があり、ユーザにとって煩雑である問題がある。また、不要な位置にまで仕切り紙が挿入されることもあり、紙が無駄に消費される問題もある。
【０００６】
したがって、本発明は、外部装置から受信したジョブにしたがって画像形成されて排出される複数の記録紙（印刷物）において、部単位で指定された任意の位置に、区切りを示すための仕切り紙を挿入することができ、ユーザが印刷物の分類を容易に行なうことができる画像形成装置を提供することを目的とする。
【課題を解決するための手段】
【０００７】
上記の目的は、下記によって達成することができる。
【０００８】
即ち、本発明に係る画像形成装置は、表面に画像が形成された後に排出される複数の記録紙の間に、区切りを示すための仕切り紙を挿入する画像形成装置である。この画像形成装置は、仕切り紙の挿入位置を特定する挿入位置データ、仕切り紙毎に画像として形成する情報を特定する情報特定データ、及び、記録紙への画像形成を指示する画像形成ジョブを外部装置から受信する受信部と、画像形成ジョブから画像データを生成する画像データ生成部と、画像データ生成部により生成された画像データにしたがって記録紙に画像を形成する画像形成部と、画像が形成された記録紙、及び仕切り紙を排出する排出部と、排出部を制御する制御部とを備え、挿入位置データは、画像形成ジョブにしたがって画像が全て形成された記録紙の集合を１部とする部単位で、挿入位置を特定し、制御部は、排出部に、画像が形成された記録紙を、挿入位置データから決定された部数排出した後、仕切り紙を排出させ、画像形成部は、仕切り紙が排出される前に、仕切り紙に情報を画像として形成する。
【０００９】
好ましくは、情報特定データは、外部装置のプリンタドライバによって生成される、仕切り紙毎に情報を画像として形成するための仕切り紙ジョブであり、画像形成装置は、仕切り紙ジョブから画像データを生成する仕切り紙画像データ生成部をさらに備え、画像形成部は、仕切り紙が排出される前に、仕切り紙画像データ生成部により生成された画像データにしたがって情報を画像として形成する。
【００１０】
より好ましくは、画像形成装置は、情報特定データから画像データを生成する仕切り紙画像データ生成部をさらに備え、画像形成部は、仕切り紙が排出される前に、仕切り紙画像データ生成部により生成された画像データにしたがって仕切り紙に情報を画像として形成する。
【００１１】
さらに好ましくは、画像形成部は、仕切り紙が排出される前に、情報特定データから画像データを生成し、当該画像データにしたがって仕切り紙に情報を画像として形成する。
【００１２】
好ましくは、画像形成部は、最初に排出される仕切り紙に、当該仕切り紙が排出されるまでに排出される集合の数よりも１大きい値を表す画像を形成し、２番目以降に排出される仕切り紙に、当該仕切り紙の直前に排出される仕切り紙の次から当該仕切り紙の直前までに排出される集合の数よりも１大きい値を表す画像を形成する。
【発明の効果】
【００１３】
本発明によれば、外部装置から画像形成装置に複数部数の印刷を実行させる場合に、ユーザの指定部数で、指定情報が印刷された仕切り紙を挿入することができる。部単位で指定された位置に、指定情報が印刷された仕切り紙が挿入されるので、ユーザは、複数部数の印刷物を容易に区分することができる。即ち、ユーザは部数を数えなくても、印刷物を分ける位置を容易に特定することができ、印刷物を仕切り紙の前後で分けるだけでよい。また、不要な位置に仕切り紙が挿入されないので、無駄に紙が消費されることを抑制することができる。
【００１４】
仕切り紙毎に情報を画像として形成するための仕切り紙ジョブを、コンピュータ等の外部装置のプリンタドライバで生成することにより、仕切り紙のデザインの自由を高くすることができる。ユーザは、適切なデザインの仕切り紙が得られるように、仕切り紙に形成する文字、数字及び画像、並びに、それらの色及び形状を適宜設定することにより、印刷物を一目で区別することができ、複数部数の印刷物を容易に分類することができる。
【００１５】
また、画像形成装置が、コンピュータ等の外部装置から仕切り紙ジョブ（仕切り紙画像データ）を受信する代わりに、仕切り紙画像データを生成するために必要な情報を受信し、仕切り紙画像データを生成することにより、外部装置の処理を軽減することができ、通信されるデータサイズを小さくすることができる。
【図面の簡単な説明】
【００１６】
【図１】本発明の実施の形態に係る画像形成装置の構成を示すブロック図である。
【図２】仕切り紙が印刷物に挿入された状態を示す斜視図である。
【図３】本発明の実施の形態に係る画像形成装置の構成を示す断面図である。
【図４】仕切り紙の挿入機能を実現する３種類の方法におけるデータの流れを示す図である。
【図５】本発明の実施の形態に係る画像形成装置において仕切り紙の挿入機能を実現するために、端末装置で実行されるプログラムの制御構造を示すフローチャートである。
【図６】端末装置に表示される印刷に関する条件を設定する画面例を示す図である。
【図７】端末装置に表示される仕切り紙に関する条件を設定する画面例を示す図である。
【図８】本発明の実施の形態に係る画像形成装置において仕切り紙の挿入機能を実現するために、画像形成装置で実行されるプログラムの制御構造を示すフローチャートである。
【図９】仕切り紙が印刷物に挿入された状態を示す斜視図である。
【図１０】仕切り紙が印刷物に挿入された状態を示す斜視図である。
【図１１】端末装置に表示される仕切り紙に関する条件を設定する、図７とは別の画面例を示す図である。
【図１２】本発明の実施の形態に係る画像形成装置において仕切り紙の挿入機能を実現するために、画像形成装置で実行される、図８とは別のプログラムの制御構造を示すフローチャートである。
【図１３】本発明の実施の形態に係る画像形成装置において仕切り紙の挿入機能を実現するために、画像形成装置で実行される、図８及び図１２とは別のプログラムの制御構造を示すフローチャートである。
【図１４】端末装置に表示される仕切り紙に関する条件を設定する、図７及び図１１とは別の画面例を示す図である。
【図１５】端末装置に表示される仕切り紙に関する条件を設定する、図７、図１１及び図１４とは別の画面例を示す図である。
【図１６】端末装置に表示される仕切り紙に関する条件を設定する、図７と同様の画面例を示す図である。
【発明を実施するための形態】
【００１７】
以下の実施の形態では、同一の部品には同一の参照番号を付してある。それらの名称及び機能も同一である。したがって、それらについての詳細な説明は繰返さない。
【００１８】
本発明の実施の形態に係る画像形成装置は、コピー機能、プリンタ機能、スキャナ機能、及びファクシミリ機能等の複数の機能を備えたデジタル複合機である。図１を参照して、本発明の実施の形態に係る画像形成装置１００はネットワーク１９０に接続されており、端末装置１８０からプリントジョブを受信し、受信したジョブデータにしたがって記録紙への画像形成を実行する。
【００１９】
画像形成装置１００は、画像形成装置１００全体を制御するＣＰＵ（Ｃｅｎｔｒａｌ  Ｐｒｏｃｅｓｓｉｎｇ  Ｕｎｉｔ）１０２と、プログラム等を記憶するためのＲＯＭ（Ｒｅａｄ  Ｏｎｌｙ  Ｍｅｍｏｒｙ）１０４と、揮発性の記憶装置であるＲＡＭ（Ｒａｎｄｏｍ  Ａｃｃｅｓｓ  Ｍｅｍｏｒｙ）１０６と、通電が遮断された場合にもデータを保持する不揮発性記憶装置であるＨＤＤ（Ｈａｒｄ  Ｄｉｓｋ  Ｄｒｉｖｅ）１０８とを備えている。ＲＯＭ１０４には、画像形成装置１００の動作を制御するのに必要なプログラム及びデータが記憶されている。
【００２０】
画像形成装置１００はさらに、ＮＩＣ（Ｎｅｔｗｏｒｋ  Ｉｎｔｅｒｆａｃｅ  Ｃａｒｄ）１１０、原稿読取部１２０、画像形成部１２２、画像処理部１２４、仕切り紙データ生成部１２６、操作部１３０、及びバス１１２を備えている。
【００２１】
ＣＰＵ１０２、ＲＯＭ１０４、ＲＡＭ１０６、ＨＤＤ１０８、ＮＩＣ１１０、原稿読取部１２０、画像形成部１２２、画像処理部１２４、仕切り紙データ生成部１２６、記録紙搬送部１２８、及び操作部１３０は、バス１１２に接続されている。各部間のデータ（制御情報を含む）交換は、バス１１２を介して行なわれる。ＣＰＵ１０２は、バス１１２を介してＲＯＭ１０４からプログラムをＲＡＭ１０６上に読出して、ＲＡＭ１０６の一部を作業領域としてプログラムを実行する。即ち、ＣＰＵ１０２は、ＲＯＭ１０４に格納されているプログラムにしたがって画像形成装置１００を構成する各部の制御を行ない、画像形成装置１００の各機能を実現する。
【００２２】
画像形成装置１００は、これら以外にも、画像を形成するための記録紙を収容した給紙部（給紙トレイ）、画像形成された記録紙を排出する排紙部（排紙トレイ）、電話回線に接続されたＦＡＸ通信するためのＦＡＸモデム（図示せず）、各部に電力を供給する電源部（図示せず）等を備えている。
【００２３】
原稿読取部１２０は、後述するように、ＣＣＤ（Ｃｈａｒｇｅ  Ｃｏｕｐｌｅｄ  Ｄｅｖｉｃｅ：電荷結合素子）により原稿を読取って画像データ（デジタル信号）を生成する。画像データはＲＡＭ１０６に一時的に記憶される。画像処理部１２４は、読取った画像データに対して、種々の画像処理を実行する。画像データは、必要に応じてＨＤＤ１０８に記憶される。
【００２４】
仕切り紙データ生成部１２６は、後述するように、仕切り紙上に形成する画像データ（文字画像データ等）を、ＲＡＭ１０６上に生成する。生成された画像データは、必要に応じてＨＤＤ１０８に記憶される。「仕切り紙」とは、印刷され排出される記録紙の区切りを容易に判別可能にするために、排出される記録紙の間に挿入される紙を意味する。
【００２５】
画像形成部１２２は、ＲＡＭ１０６上の画像データ（仕切り紙上に形成する画像データを含む）に基づいて、記録紙搬送部１２８によって搬送される記録紙又は仕切り紙上に画像を形成する。図２に、画像形成された６部の記録紙の間に、斜線で示す２枚の仕切り紙２００及び２０２が挿入された状態を示す。仕切り紙２００には、１部目であることを表す「１」の文字画像が形成されている。仕切り紙２０２には、４部目であることを表す「４」の文字画像が形成されている。
【００２６】
操作部１３０は、タッチパネルディスプレイ及び操作キー部を備えている。タッチパネルディスプレイは、液晶パネル等で構成された表示パネルと、表示パネルの上に配置され、タッチされた位置を検出するタッチパネルとを含む。操作部１３０のタッチパネルディスプレイ（表示パネル）には、画像形成装置１００に指示を行なうための画面が表示される。画像形成装置１００が起動された直後に表示されるホーム画面には、コピー、プリント等の各機能を指示するためのキーが表示されている。
【００２７】
操作キー部には、ハードウェアキーとして、ホームキー、画像形成装置の電源をオン／オフするための電源キー、及び、電源オンの場合に点灯するＬＥＤランプ等が配置されている。タッチパネルディスプレイに表示される画面は、画像形成装置１００の状態に応じて種々変化（画面遷移）する。ホームキーは、タッチパネルディスプレイに表示されている画面を、ホーム画面に戻すためのキーである。
【００２８】
操作部１３０は、ユーザによる画像形成装置１００に対する指示等の入力を受付ける。ユーザは、タッチパネルディスプレイに表示される画面によって、画像形成装置１００の状態及びジョブの処理状況等の確認を行なう。タッチパネルディスプレイに表示されたキーを、表示パネルに重ねられたタッチパネル上で選択する（タッチパネル上の該当部分にタッチする）ことによって、画像形成装置１００の機能設定及び動作指示等を行なうことができる。
【００２９】
ＮＩＣ１１０は、外部のネットワーク１９０に接続され、画像形成装置１００がネットワーク１９０を介して外部装置と通信するためのインターフェイスである。画像形成装置１００は、外部の電話回線（図示せず）に接続され、画像形成装置１００が電話回線を介して外部装置とＦＡＸ通信するためのインターフェイスであるＦＡＸモデム（図示せず）を備えている。
【００３０】
図３を参照して、画像形成装置１００における記録紙の搬送及び記録紙への画像形成に関してより詳細に説明する。ここでは、記録紙上への画像形成に関して説明するが、仕切り紙上への画像形成に関しても同様である。
【００３１】
原稿読取部１２０は、画像読取装置９０及び自動原稿送り装置（ＡＤＦ：Ａｕｔｏ  Ｄｏｃｕｍｅｎｔ  Ｆｅｅｄｅｒ）１５０を備えている。
【００３２】
画像読取装置９０は、原稿が載置される透明ガラスからなる原稿載置台９２を備え、光源及び第１ミラーを保持する光源ユニット９３と、第２及び第３ミラーを保持するミラーユニット９４と、レンズ及びＣＣＤ９５とから構成された縮小光学系の画像読取装置である。
【００３３】
原稿載置台９２の上には自動原稿送り装置１５０が取り付けられている。自動原稿送り装置１５０は、原稿載置台９２の上に自動的に原稿を搬送する。自動原稿送り装置１５０は矢印Ｍ方向に回動自在に構成され、原稿載置台９２の上を開放することにより原稿を手で置くことができるようになっている。
【００３４】
画像形成部１２２は、光走査装置１、現像器２、感光体ドラム３、クリーナユニット４、帯電器５、中間転写ベルトユニット６、定着部１１６、給紙トレイ８１〜８５、並びに排紙トレイ９１及び９６を備えて構成されている。給紙トレイ８５は、手差し用のトレイである。
【００３５】
画像形成装置１００において扱われる画像データは、ブラック（ＢＬＡＣＫ、以下「Ｋ
とも記載する）、シアン（ＣＹＡＮ、以下「Ｃ」とも記載する）、マゼンタ（ＭＡＧＥＮＴＡ、以下「Ｍ」とも記載する）及びイエロー（ＹＥＬＬＯＷ、以下「Ｙ」とも記載する）の各色を用いたカラー画像データ、即ち、これら４色の成分に分解された画像データである。したがって、現像器２、感光体ドラム３、帯電器５、及びクリーナユニット４は、各色に応じた４種類の潜像を形成するように、それぞれ４個ずつ設けられ、これらによって、ブラック、シアン、マゼンタ、及びイエローを処理する４つの画像ステーションが構成されている。
【００３６】
帯電器５は、感光体ドラム３の表面を所定の電位に均一に帯電させるための装置である。光走査装置１は、レーザ出射部及び反射ミラー等を備えたレーザスキャニングユニット（ＬＳＵ）である。光走査装置１には、レーザビームを走査するポリゴンミラーと、ポリゴンミラーによって反射されたレーザ光を感光体ドラム３に導くためのレンズ及びミラー等の光学要素とが配置されている。
【００３７】
光走査装置１は、帯電された感光体ドラム３を、入力された画像データに応じて露光することにより、その表面に、画像データに応じた静電潜像を形成する。現像器２は、それぞれの感光体ドラム３上に形成された静電潜像を４色（ＹＭＣＫ）のトナーにより顕像化する。クリーナユニット４は、現像及び画像転写後に感光体ドラム３上の表面に残留したトナーを、除去及び回収する。
【００３８】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。中間転写ローラ６４は、ＹＭＣＫの各色に対応して４本設けられている。
【００３９】
中間転写ベルト駆動ローラ６２、中間転写ベルト従動ローラ６３、及び中間転写ローラ６４は、中間転写ベルト６１を張架して回転駆動させる。各中間転写ローラ６４は、対応する感光体ドラム３のトナー像を中間転写ベルト６１上に転写するために、後述する転写バイアスを供給する。
【００４０】
中間転写ベルト６１は、各感光体ドラム３に接触するように設けられている。感光体ドラム３に形成された各色のトナー像を中間転写ベルト６１に順次重ねて転写することによって、中間転写ベルト６１上にカラーのトナー像（多色トナー像）が形成される。
【００４１】
感光体ドラム３から中間転写ベルト６１へのトナー像の転写は、中間転写ベルト６１の裏側に接触している中間転写ローラ６４によって行なわれる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ、発泡ウレタン等）により覆われているローラである。この導電性の弾性材により、中間転写ベルト６１に対して均一に高電圧を印加することができる。
【００４２】
上述のように各感光体ドラム３上で各色相に応じて顕像化された静電像は中間転写ベルト６１上で積層される。このように積層された画像情報（トナーの濃淡分布）は、中間転写ベルト６１が回転されて、記録紙と中間転写ベルト６１との接触位置に配置される転写ローラ１０によって記録紙上に転写される。
【００４３】
このとき、中間転写ベルト６１と転写ローラ１０とは所定ニップで圧接されると共に、転写ローラ１０にはトナーを記録紙に転写させるための電圧が印加される（トナーの帯電極性（−）とは逆極性（＋）の高電圧）。さらに、上記ニップを定常的に得るために、転写ローラ１０及び中間転写ベルト駆動ローラ６２の何れか一方には硬質材料（金属等）が用いられ、他方には弾性ローラ等の軟質材料（弾性ゴムローラ、発泡性樹脂ローラ等）が用いられる。
【００４４】
上記のように、感光体ドラム３に接触することにより中間転写ベルト６１に付着したトナー、又は転写ローラ１０によって記録紙上に転写が行なわれずに中間転写ベルト６１上に残存したトナーは、次工程でトナーの混色を発生させる原因となるために、中間転写ベルトクリーニングユニット６５によって除去されて回収される。中間転写ベルトクリーニングユニット６５には、クリーニング部材として、例えば中間転写ベルト６１に接触するクリーニングブレードが配置されており、クリーニングブレードが接触する中間転写ベルト６１は、裏側から中間転写ベルト従動ローラ６３で支持されている。
【００４５】
給紙トレイ８１〜８４は、画像形成に使用する記録紙を蓄積しておくためのトレイであり、光走査装置１の下側に設けられている。また手差し給紙トレイ８５にも画像形成に使用する記録紙を置くことができる。また、排紙トレイ９１及び９６は、印刷済みの記録紙をフェイスダウンで、即ち印刷面を下にして集積するためのトレイである。
【００４６】
給紙トレイ８１〜８４及び手差し給紙トレイ８５の記録紙を、転写ローラ１０及び定着部１１６を経由させて排紙トレイ９１又は９６に送るために、画像形成部１２２内部には、記録紙搬送路Ｓ１及びＳ２が形成されている。給紙トレイ８１〜８４又は手差し給紙トレイ８５から排紙トレイ９１又は９６までの記録紙搬送路Ｓ１及びＳ２の近傍には、ピックアップローラ１１ａ〜１１ｅ、搬送ローラ１２ａ〜１２ｅ、レジストローラ１３、転写ローラ１０、及び定着部１１６等が配置されている。
【００４７】
給紙トレイ８１〜８４、手差し給紙トレイ８５、ピックアップローラ１１ａ〜１１ｅ、搬送ローラ１２ａ〜１２ｅ、及びレジストローラ１３は、図１に示した記録紙搬送部１２８を構成する。
【００４８】
搬送ローラ１２ａ〜１２ｅは、記録紙の搬送を促進及び補助するための小型のローラであり、記録紙搬送路Ｓ１及びＳ２に沿って複数設けられている。例えば、ピックアップローラ１１ａ〜１１ｄは、給紙トレイ８１〜８４のそれぞれの端部近傍に配置され、給紙トレイ８１〜８４から記録紙を１枚ずつピックアップして記録紙搬送路Ｓ１に供給する。同様に、ピックアップローラ１１ｅは、手差し給紙トレイ８５の端部近傍に配置され、手差し給紙トレイ８５から記録紙を１枚ずつピックアップして記録紙搬送路Ｓ１に供給する。
【００４９】
レジストローラ１３は、記録紙搬送路Ｓ１を搬送される記録紙を一旦保持する。そして、感光体ドラム３上のトナー像の先端と記録紙の先端とが一致するタイミングで記録紙を転写ローラ１０に搬送する。
【００５０】
定着部１１６は、ヒートローラ７１及び加圧ローラ７２を備えている。ヒートローラ７１及び加圧ローラ７２は、記録紙を挟んで回転する。また、ヒートローラ７１は、温度検出器（図示せず）からの信号に基づいて、ＣＰＵ１０２によって所定の定着温度に設定されており、加圧ローラ７２と共にトナーを記録紙に熱圧着することにより、記録紙に転写された多色トナー像を溶融、混合、及び圧接し、記録紙に対して熱定着させる機能を有している。また、ヒートローラ７１を外部から加熱するための外部加熱ベルト７３が設けられている。
【００５１】
以下、画像形成装置１００が搭載している機能（コピー機能、プリンタ機能、スキャナ機能、及びファクシミリ機能）を実行する各モードについて簡単に説明する。
【００５２】
（プリンタモード）
画像形成装置１００をプリンタとして利用する場合には、ＮＩＣ１１０を介して受信した画像データがＲＡＭ１０６等を介して画像形成部１２２から出力される。
【００５３】
端末装置１８０から画像形成装置１００にプリントを指示する場合、ＮＩＣ１１０は、ネットワーク１９０に接続された端末装置１８０から画像データを受信する。受信された画像データは、出力画像データとしてページ単位にＲＡＭ１０６に送られた後、ＨＤＤ１０８に記憶される。その後、ＨＤＤ１０８に記憶された画像データが適切なタイミングで順次読出されてＲＡＭ１０６に送られる。
【００５４】
給紙部（給紙トレイ８１〜８４又は手差し給紙トレイ８５）では、記録紙がピックアップローラによって引き出され、複数の搬送ローラ１２ａ〜１２ｅによって、画像形成部１２２まで搬送される。画像形成部１２２では、帯電された感光体ドラム３を入力された画像データに応じて露光することにより、感光体ドラム３の表面に、画像データに応じた静電潜像を形成する。感光体ドラム３上の静電潜像部分にトナーを付着させた後、トナーによる画像を、中間転写ベルト６１を介して、搬送された記録紙に転写させる。その後、記録紙は加熱及び加圧され（これにより記録紙に画像が定着する）、排紙トレイに排出される。
【００５５】
（コピーモード）
画像形成装置１００を複写機として利用する場合には、原稿読取部１２０によって読取られた原稿の画像データが、画像形成部１２２から印刷物として出力される。
【００５６】
原稿読取部１２０に装備された画像読取装置９０のＣＣＤ９５により読取られた画像データは、ＲＡＭ１０６上に出力データ（印刷用データ）として完成された後、ＨＤＤ１０８に記憶される。原稿が複数ある場合には、この読取り動作及び記憶動作が繰返される。その後、操作部１３０から指示された処理モードに基づいて、ＨＤＤ１０８に記憶された画像データが適切なタイミングで順次読出されてＲＡＭ１０６に送られる。
【００５７】
そして、上記したプリンタモードと同様に、画像データは画像形成部１２２へと伝送され、画像形成が行なわれる。読取った画像データを複数部数印刷する場合にも、同様に出力データとしてページ単位でＨＤＤ１０８に記憶され、ＨＤＤ１０８からＲＡＭ１０６に送られ、出力部数の分だけ繰返し、画像形成のタイミングに合わせて画像形成部１２２へ伝送される。
【００５８】
（スキャナモード）
画像形成装置１００を、例えばネットワークスキャナとして利用する場合には、原稿読取部１２０において読取られた原稿の画像データを、ＮＩＣ１１０からネットワーク１９０を介してコンピュータ等へ送信する。この場合にも、原稿読取部１２０に装備されたＣＣＤ９５により原稿を電子的に読取る。そして、読取られた原稿の画像データは、ＲＡＭ１０６上に出力データとして完成された後、ＨＤＤ１０８に記憶される。その後、画像データは、再びＨＤＤ１０８からＲＡＭ１０６に送られ、操作部１３０を介して指定された送信先との通信を確立した上で、ＮＩＣ１１０から、指示された送信先へと送信される。
【００５９】
（ファクシミリモード）
画像形成装置１００は、ＦＡＸモデム及び電話回線網を介して外部のファクシミリ装置とＦＡＸ送受信することができる。画像形成装置１００をファクシミリ装置として使用する場合、ファクシミリ装置からＦＡＸ受信したデータを、画像データとしてＲＡＭ１０６上に形成し、上記と同様に、ＨＤＤ１０８への記憶、画像形成部１２２による印刷を実行することができる。また、画像形成装置１００は、ＨＤＤ１０８から画像データを読出して、ＦＡＸ通信用のデータ形式に変換して、ＦＡＸモデム及び電話回線網を介して外部のファクシミリ装置に送信することができる。
【００６０】
以下、画像形成装置１００における仕切り紙の挿入機能に関して具体的に説明する。画像形成装置１００は、端末装置１８０からのプリント指示を受けて、印刷物の間に挿入する仕切り紙に文字等の情報を印刷することができる。仕切り紙に印刷する情報に対応する画像データの生成には、図４に示すように３種類の方法がある。
【００６１】
図４において、左端の列に、仕切り紙に印刷する画像データを生成するソフトウェアを示し、その右側の３列に、３種類の各方法において、それらのソフトウェアの間で引渡されるデータを示している。
【００６２】
第１の方法（Ａ）では、印刷を指示する端末装置１８０のプリンタドライバ（ソフトウェア）３００が、「仕切り紙１」及び「仕切り紙２」で表す仕切り紙の画像データ３０６及び３０８を生成する。生成された仕切り紙の画像データ３０６及び３０８は、仕切り紙に関する条件を含むコマンドデータ（以下「コマンド」という）３１０及び本来の印刷ジョブデータ（以下「印刷ジョブ」という）３１２と共に、ネットワーク１９０を介して画像形成装置１００に送信される。画像形成装置１００は、受信したこれらのデータにしたがって、プリンタモジュール３０２及び印刷サービス３０４により、記録紙への印刷、仕切り紙への印刷、及び、印刷された記録紙間への印刷された仕切り紙の挿入を実行する。
【００６３】
第２の方法（Ｂ）では、端末装置１８０のプリンタドライバ３００は、仕切り紙に関する条件を含むコマンド３１０及び印刷ジョブ３１２を生成する。生成されたコマンド３１０及び印刷ジョブ３１２は、ネットワーク１９０を介して画像形成装置１００に送信される。画像形成装置１００においては、プリンタモジュール３０２が、受信したコマンド３１０を用いて、仕切り紙の画像データ３０６及び３０８を生成する。その後、プリンタモジュール３０２は、仕切り紙の画像データ３０６及び３０８、並びに印刷ジョブ３１２をＲＩＰ（Ｒａｓｔｅｒ  Ｉｍａｇｅ  Ｐｒｏｃｅｓｓｏｒ）処理し、その結果（ラスターイメージ）とコマンド３１０とを、印刷サービス３０４に引渡す。これに基づいて、印刷サービス３０４は、記録紙への印刷、仕切り紙への印刷、及び、印刷された記録紙間への印刷された仕切り紙の挿入を実行する。
【００６４】
第３の方法（Ｃ）では、端末装置１８０は、第２の方法（Ｂ）と同様に、仕切り紙に関する条件を含むコマンド３１０及び印刷ジョブ３１２は、プリンタドライバ３００により生成され、画像形成装置１００に送信される。画像形成装置１００においては、プリンタモジュール３０２が、受信した印刷ジョブ３１２をＲＩＰ処理し、その結果（ラスターイメージ）とコマンド３１０とを、印刷サービス３０４に引渡す。印刷サービス３０４は、コマンド３１０にしたがって、仕切り紙の画像データ３０６及び３０８を生成する。その後、印刷サービス３０４は、仕切り紙の画像データ３０６及び３０８並びに印刷ジョブ３１２（何れもラスターイメージ）を用いて、記録紙への印刷、仕切り紙への印刷、及び、印刷された記録紙間への印刷された仕切り紙の挿入を実行する。
【００６５】
図４では、各層において、概念が同じデータに同じ名称を用いているが、データ形式は異なる。端末装置１８０のプリンタドライバ３００によって生成され、画像形成装置１００に送信されるジョブは、ページ記述言語（Ｐａｇｅ  Ｄｅｓｃｒｉｐｔｉｏｎ  Ｌａｎｇｕａｇｅ）で記述されたデータ（以下、ＰＤＬデータという）である。プリンタモジュール３０２から印刷サービス３０４に引渡されるジョブは、ＲＩＰ処理結果のラスターイメージデータである。
【００６６】
また、コマンド３１０は、３種類の方法で必ずしも同じデータでなくてもよい。例えば、第１の方法（Ａ）では、仕切り紙の画像データ３０６及び３０８が、画像形成装置１００に送信されるので、コマンド３１０には、仕切り紙の画像データ３０６及び３０８を生成するための情報（例えば、テキスト、フォント、及び位置等の情報）は含まれていなくてもよい。これに対して、第２の方法（Ｂ）及び第３の方法（Ｃ）では、仕切り紙の画像データ３０６及び３０８は、画像形成装置１００に送信されないので、コマンド３１０には、画像形成装置１００において仕切り紙の画像データ３０６及び３０８を生成するための情報（例えば、テキスト、フォント、及び位置等の情報）が含まれている。
【００６７】
図４に示した、仕切り紙の画像データを生成する３種類の方法（Ａ）〜（Ｃ）に関してより具体的に説明する。
【００６８】
（Ａ）第１の方法
第１の方法では、上記したように、端末装置１８０のプリンタドライバ３００が、仕切り紙の画像データを生成する。例えば、ユーザが、端末装置１８０（例えば、コンピュータ）において、所定のアプリケーションプログラム（以下、単にアプリケーションともいう）を実行し、その結果を画像形成装置１００に印刷させるために、端末装置１８０の表示装置に表示された画面を介して印刷を指示したとする。ここでは、端末装置１８０には、画像形成装置１００に印刷を実行させるためのデータ（ジョブ）を生成するためのプリンタドライバ３００がインストールされているとする。
【００６９】
図５を参照して、ステップ７００において、端末装置１８０のＣＰＵは、端末装置１８０の表示装置に、図６に示すような印刷条件を設定する画面４００を表示する。画面４００の領域４０６には、プリント指示データを送信する対象が表示されている。ここでは、「プリンタ１」は画像形成装置１００を表すとする。
【００７０】
ステップ７０２において、端末装置１８０のＣＰＵは、画面４００に対して有効な操作があったか否かを判定する。有効な操作があったと判定された場合、制御はステップ７０２に移行する。そうでなければ、ステップ７０２が繰返される。操作は、例えばコンピュータ用のキーボード又はマウスによって行なわれる。有効な操作とは、例えば、何らかの処理が割当てられている画面４００上の領域（キー等が割当てられた領域）又はその領域内の点を、選択する操作（例えば、マウスのクリック、又は、キーボードのタブ（Ｔａｂ）キー及びエンター（Ｅｎｔｅｒ）キーの押下）である。何も処理が割当てられていない画面４００の点をマウスによって選択する操作は、有効な操作ではない。
【００７１】
ステップ７０４において、端末装置１８０のＣＰＵは、プリンタ１の設定の変更を指示する操作であるか否かを判定する。この操作は、画面４００に表示された設定キー４１０を選択する操作である。設定キー４１０が選択された場合、制御は７１６に移行する。そうでなければ、制御は７０６に移行する。
【００７２】
ステップ７０６において、端末装置１８０のＣＰＵは、ステップ７０２での操作がＯＫキー４０２の選択であるか否かを判定する。ＯＫキー４０２の選択であると判定された場合、制御はステップ７０８に移行する。そうでなければ、制御はステップ７１２に移行する。ＯＫキー４０２の操作は、プリントの指示である。
【００７３】
ステップ７０８において、端末装置１８０のＣＰＵは、設定されている印刷条件を用いて、アプリケーションの実行結果のデータから、印刷ジョブ（ＰＤＬデータ）を生成する。具体的には、端末装置１８０のＣＰＵは、プリンタドライバ３００を実行して、印刷ジョブを生成する。このとき、印刷条件に、後述する仕切り紙に関する設定が含まれていれば、端末装置１８０のＣＰＵは、それにしたがって、仕切り紙画像を印刷するためのジョブ（以下、仕切り紙ジョブともいう）を生成する。
【００７４】
仕切り紙ジョブは、後述するように、仕切り紙に印刷する文字（テキスト）が指定されていた場合、指定された文字を含むＰＤＬデータである。仕切り紙に印刷する文字が指定されていなければ場合、印刷部数を表す数字を含むＰＤＬデータである。
【００７５】
ステップ７１０において、端末装置１８０のＣＰＵは、生成した印刷ジョブ及び仕切り紙に関する情報（仕切り紙ジョブを含む）を、ネットワーク１９０を介して、プリンタ１（即ち画像形成装置１００）に送信する。以下、印刷ジョブ及び仕切り紙に関する情報を「印刷指示データ」ともいう。
【００７６】
ステップ７１２において、端末装置１８０のＣＰＵは、ステップ７０２での操作がキャンセルキー４０４の選択であるか否かを判定する。キャンセルキー４０４の選択であると判定された場合、本プログラムは終了する。そうでなければ、制御はステップ７１４に移行し、該当する処理が実行された後、制御はステップ７００に戻る。キャンセルキー４０４の操作は、印刷条件の設定をキャンセルする指示である。
【００７７】
ステップ７１４の処理は、例えば、ユーザによってプルダウンキー４０８が選択された（ステップ７０２）ことを受けて、端末装置１８０に登録されているプリンタのリストを表示して、ユーザによる選択を受付ける処理である。ステップ７１４の処理には、印刷部数を表す領域のプルダウンキー４１２が選択された（ステップ７０２）ことを受けて、印刷部数の候補を表示して選択を受付ける処理、又は、部数の表示領域４１４が選択された（ステップ７０２）ことを受けて、キーボードから印刷部数の直接入力を受付ける処理等も含まれる。図６は、ステップ７１４の処理によって、印刷部数が６部に設定された状態を示す。
【００７８】
ステップ７０４での判定により、プリンタの設定の変更を指示する操作（設定キー４１０の選択）であると判定された場合、ステップ７１６において、端末装置１８０のＣＰＵは、端末装置１８０の表示装置にプリンタの設定画面を表示する。図６の状態で設定キー４１０が選択された場合、最初に表示される設定画面は、基本的な設定項目が表示された画面である（例えば、図７に示す画面４５０において「メイン」のタブが選択された状態）。
【００７９】
ステップ７１８において、端末装置１８０のＣＰＵは、プリンタ１の設定画面に対して有効な操作があったか否かを判定する。有効な操作があったと判定された場合、制御はステップ７２０に移行する。そうでなければ、ステップ７１８が繰返される。
【００８０】
ステップ７２０において、端末装置１８０のＣＰＵは、ステップ７１８での操作がＯＫキー４５２の選択であるか否かを判定する。ＯＫキー４５２の選択であると判定された場合、制御はステップ７２２に移行する。そうでなければ、制御はステップ７２４に移行する。ＯＫキー４５２の操作は、設定内容を確定させる指示である。
【００８１】
ステップ７２２において、端末装置１８０のＣＰＵは、設定されたプリンタ１に関する条件を、例えば内部のＲＡＭに記憶する。その後、制御はステップ７００に戻る。これによって、端末装置１８０の表示装置に、再度図６の画面４００が表示される。
【００８２】
ステップ７２４において、端末装置１８０のＣＰＵは、ステップ７１８での操作がキャンセルキー４５４の選択であるか否かを判定する。キャンセルキー４５４の選択であると判定された場合、設定内容を破棄して、制御はステップ７００に戻る。そうでなければ、制御はステップ７２６に移行し、該当する処理が実行された後、制御はステップ７１６に戻る。キャンセルキー４５４の操作は、プリンタに関する設定をキャンセルする指示である。
【００８３】
仕切り紙に関する条件は、図５のステップ７１６〜ステップ７２６が実行されて設定される。具体的には、プリンタ１の設定画面において、「仕切り」のタブ４５６が選択された（ステップ７１８）ことを受けて、図７に示す仕切り紙の設定内容を表示する画面４５０が表示される。
【００８４】
画面４５０には、印刷物の部毎に対して、仕切り紙に関する設定項目が表示されている。図７では、図６において印刷部数として６部が設定されているので、６枚の仕切り紙に対する設定項目が表示可能である。図７は、１部目及び２部目の前に挿入される仕切り紙の設定項目が表示されている状態を示す。ユーザがスクロールバー４６０を操作することによって、表示されていない３部目〜６部目の仕切り紙に関する設定項目が表示される。
【００８５】
領域４５８には、１部目の印刷物の上に挿入される仕切り紙に関する設定項目が表示され、領域４６２には、１部目の印刷物と２部目の印刷物との間に挿入される仕切り紙に関する設定項目が表示されている。具体的には、領域４５８及び領域４６２には、仕切り紙を挿入するか否かを表す文字と、ラジオボタンとが表示されている。選択されているラジオボタンは、中央部が黒く表示される。最初に画面４５０が表示された初期状態では、全ての「入れない」に対応するラジオボタンが選択状態である。図７では、１部目の印刷物の上に仕切り紙を挿入するが、１部目の印刷物と２部目の印刷物との間には仕切り紙を挿入しないように設定されている。
【００８６】
「テキスト」の下の矩形領域（以下「テキスト領域」という）は、仕切り紙に印刷する文字を入力するための領域である。図７では、１部目の仕切り紙に関して、「ユーザＡ」が入力されている。ユーザはテキスト領域を選択して、キーボードから文字を入力することができる。なお、テキストのデフォルトは部数である。即ち、テキスト領域に何も入力されていなくても、仕切り紙が挿入される迄に出力された印刷物の部数に“１”を加算して得られた値を表す数字が、テキストとして設定される。例えば、１部目に仕切り紙が挿入される場合、その仕切り紙には“１”が印刷され、３部目の印刷物と４部目の印刷物との間に仕切り紙が挿入される場合、その仕切り紙には“４”が印刷される。
【００８７】
テキスト領域の右側の「フォント」及び「位置」は、入力されているテキストを仕切り紙に印刷するときに使用するフォント、及び、入力されているテキストを印刷する仕切り紙上の位置を表す。図７では、「ゴシック」及び「上下中央」（仕切り紙の上下の端部領域の中央部を意味する）が設定されている。これらの設定内容は、ユーザによるプルダウンキーの操作によって選択される。ここで、プルダウン表示されるフォントの選択候補は、端末装置１８０が備えているフォントの名称である。
【００８８】
領域４６４には、テキストの周囲を囲む枠パターン、及び、テキストを含む所定領域に表示する背景画像の設定項目が表示されている。これらの設定内容は、ユーザによるプルダウンキーの操作によって、選択される。図７では、枠パターンとして「パターン３」が設定され、背景として「背景画像２」が設定されている。
【００８９】
「サイズ」、「タイプ」及び「給紙トレイ」はそれぞれ、仕切り紙のサイズ、タイプ、及び仕切り紙が収容されている給紙トレイを表す。図７では、それぞれ「Ａ４」、「普通紙」及び「トレイ１」が設定されている。「サイズ」、「タイプ」及び「給紙トレイ」の設定内容は、ユーザによるプルダウンキーの操作によって、選択される。プルダウンキーの操作で給紙トレイの候補を表示するには、プリンタ１（画像形成装置１００）が備えている給紙トレイの情報（給紙トレイ８１〜８４及び手差し給紙トレイ８５）を、画像形成装置１００から取得する。サイズは、例えば、Ａ４、Ａ３、Ｂ５、又はＢ４等である。タイプは、例えば、普通紙、再生紙、印刷済み用紙、色紙、タブ紙、パンチ紙、薄紙、又は厚紙等である。
【００９０】
以上のように、ユーザは、仕切り紙に関する設定を行なうことができ、設定内容は、上記したようにステップ７２２において、端末装置１８０内部のＲＡＭに記憶される。その後、画面４００（図６）において、ユーザがＯＫキー４０４を選択する（ステップ７０６においてＹＥＳ）と、ステップ７０８において、アプリケーションの実行結果から印刷ジョブが生成されると共に、仕切り紙の設定内容、具体的にはテキストに関する設定（フォント、印刷位置、枠パターン、及び背景画像）を用いて、仕切り紙ジョブが生成される。なお、仕切り紙を挿入することが指定されているが、テキスト（印刷する文字）が入力されていない場合には、上記したように出力部数を表す文字を含む仕切り紙ジョブが生成される。
【００９１】
その後、ステップ７１０において、印刷ジョブ及び仕切り紙ジョブと共に、仕切り紙に関する設定内容（コマンド）が、画像形成装置１００に送信される。ここでは、コマンドは、仕切り紙ジョブの生成にのみ必要な情報を含まない。例えば、コマンドは、仕切り紙のサイズ、タイプ、及び給紙トレイの情報を含むが、テキストデータ、フォント、位置、枠パターン、及び背景画像の情報を含まない。
【００９２】
図８に、画像形成装置１００において、端末装置１８０から受信した印刷指示データ（印刷ジョブ、仕切り紙ジョブ及びコマンド）を用いて印刷を実行するプログラムの制御構造を示す。ステップ７５０〜ステップ７７２の処理は、ＣＰＵ１０２が、複数のソフトウェアプログラムを実行することにより実現される。即ち、ステップ７５０及びステップ７５２において、ＣＰＵ１０２は、ネットワーク１９０を介してデータを受信する受信モジュールを実行する。ステップ７５４〜ステップ７６２においては、ＣＰＵ１０２は、プリンタモジュール３０２を実行する。ステップ７６４〜ステップ７７２においては、ＣＰＵ１０２は、印刷サービス３０４を実行する。
【００９３】
ステップ７５０において、ＣＰＵ１０２は、印刷指示データを受信したか否かを判定する。受信したと判定された場合、制御はステップ７５２に移行する。そうでなければ、ステップ７５０が繰返される。
【００９４】
ステップ７５２において、ＣＰＵ１０２は、受信した印刷指示データをＨＤＤ１０８に記憶する。
【００９５】
ステップ７５４において、ＣＰＵ１０２は、ステップ７５２でＨＤＤ１０８に記憶された印刷指示データから、仕切り紙に関する条件を読出す。具体的には、ＣＰＵ１０２は、コマンドから、仕切り紙のサイズ及び給紙トレイの情報を読出し、印刷ジョブから、アプリケーション結果の画像を形成する記録紙の給紙トレイを特定する情報、及び、画像形成された記録紙を排出する排紙トレイの情報を読出す。
【００９６】
ステップ７５６において、ＣＰＵ１０２は、ステップ７５４で読出した情報から、仕切り紙を、印刷物を排出するトレイと同じトレイに排出可能か否かを判定する。同じトレイに排出可能と判定された場合、制御はステップ７６０に移行する。そうでなければ、制御はステップ７５８に移行する。画像形成装置１００が装備する給紙トレイ８１〜８４に収容されている記録紙のサイズは、初期設定として、例えばＨＤＤ１０８に記憶されているので、ＣＰＵ１０２は、端末装置１８０上でのアプリケーションの実行結果の画像を形成する記録紙の給紙トレイの情報から、給紙トレイに収容されている記録紙のサイズを特定することができる。したがって、ＣＰＵ１０２は、特定された記録紙のサイズ、仕切り紙のサイズ、及び排紙トレイから、仕切り紙を、印刷物を排出するトレイと同じトレイに排出可能か否かを判定することができる。
【００９７】
ステップ７５８において、ＣＰＵ１０２は、指定されている仕切り紙を、印刷物を排出するトレイと同じトレイに排出可能な記録紙に変更する。画像形成装置が複数の排紙トレイを備える場合、画像形成装置の寸法及び機構等の物理的制限によって、排紙トレイによって排出可能な記録紙のサイズに制限がある場合がある。例えば、原稿をＡ４サイズの記録紙にコピーする場合に、仕切り紙としてＡ３サイズが設定され、印刷物を排出するトレイにＡ３サイズの紙を排出できなければ、ＣＰＵ１０２は、コピー処理において画像形成する記録紙と同じサイズ（Ｂ４サイズ）の記録紙が収容された給紙トレイを、仕切り紙の給紙トレイとして設定する。
【００９８】
ステップ７６０において、ＣＰＵ１０２は、印刷ジョブ及び仕切り紙ジョブに対してＲＩＰ処理を実行し、ページ単位のラスターイメージを生成する。
【００９９】
ステップ７６２において、ＣＰＵ１０２は、ステップ７６０で生成されたラスターイメージ（仕切り紙画像データを含む）、仕切り紙条件、及び、印刷条件を、印刷サービス３０４に伝送する（引渡す）。プリンタモジュール３０２及び印刷サービス３０４はＣＰＵ１０２によって実行され、ステップ７６２の処理は、例えば、ＣＰＵ１０２がステップ７６０で生成したラスターイメージをＨＤＤ１０８の所定領域に記憶する処理である。
【０１００】
ステップ７６４において、ＣＰＵ１０２は、ＨＤＤ１０８から、ラスターイメージ（仕切り紙画像データを含む）、仕切り紙条件、及び印刷条件を読出し、印刷条件にしたがって、上記したように、指定された給紙トレイから取出して搬送した記録紙への画像形成を開始する。
【０１０１】
ステップ７６６において、ＣＰＵ１０２は、画像形成部１２２を制御しながら、排紙トレイ９１又は９６に排出された記録紙の部数をカウントし、仕切り紙を排出するまでに排出すべき所定部数に達したか否かを判定する。所定部数に達したと判定された場合、制御はステップ７７０に移行する。そうでなければ、制御はステップ７６８に移行する。
【０１０２】
排出された記録紙の枚数は、搬送ローラ１２ｂ又は１２ｅの近傍に配置されたセンサによって検出することができる。したがって、スキャンした原稿の枚数、及び印刷条件（１枚の原稿の片面に画像形成する原稿の枚数、及び１枚の原稿の印刷面の数）は、ＣＰＵ１０２には既知であるので、ＣＰＵ１０２は、これらの条件を考慮して、排出された記録紙の枚数から排出された部数を算出することができる。
【０１０３】
ステップ７６８において、ＣＰＵ１０２は、記録紙への画像形成を行なう。
【０１０４】
ステップ７７０において、ＣＰＵ１０２は、仕切り紙への画像形成を行なう。具体的には、指定された給紙トレイから仕切り紙を取出して搬送し、仕切り紙画像データに基づいて、仕切り紙に画像を形成する。ＣＰＵ１０２は、既に排出された印刷物の部数から、仕切り紙への印刷に使用する画像データを決定することができる。
【０１０５】
ステップ７７２において、ＣＰＵ１０２は、指定された部数の印刷が完了したか否かを判定する。完了したと判定された場合、本プログラムは終了する。そうでなければ、制御はステップ７６６に戻る。
【０１０６】
以上により、図５のステップ７１６〜ステップ７２６により設定された仕切り紙の条件にしたがって仕切り紙が挿入された、指定部数の印刷物が排紙トレイ９１又は９６に排出される。例えば、仕切り紙の挿入位置が、１部目の印刷物の前（図７参照）、２部目の印刷物と３部目の印刷物との間、及び、４部目の印刷物と５部目の印刷物との間に設定され、仕切り紙に印刷する文字（テキスト）が設定されなかった場合、図９に示すような印刷結果が得られる。図９において、仕切り紙２０４〜２０８には、印刷物と区別するために斜線パターンを描画している。
【０１０７】
また、仕切り紙の挿入位置が上記と同様に設定され、各仕切り紙に印刷する文字として、「ユーザＡ」（図７参照）、「ユーザＢ」及び「ユーザＣ」が設定され、背景画像が設定されていれば、図１０に示すようなプリント結果が得られる。図１０において、仕切り紙２１０〜２１４には、印刷物と区別するために斜線パターンを描画している。文字「ユーザＡ」、「ユーザＢ」及び「ユーザＣ」の周囲の描画パターンは、設定された背景画像が描画されていることを表す。
【０１０８】
したがって、ユーザは、画像形成装置１００に複数部数の印刷を指示した場合に、印刷結果の仕分けを容易に行なうことができる。即ち、部単位で指定された位置に仕切り紙が挿入されており、各仕切り紙に部数、指定された文字、及び画像等の情報が印刷されているので、ユーザは部数を数える必要がなく、印刷物を仕切り紙の前後で分けるだけでよい。
【０１０９】
このように、第１の方法では、端末装置１８０のプリンタドライバ３００により、仕切り紙の画像データ（仕切り紙ジョブ）が生成されるので、ユーザに、仕切り紙に印刷する画像を任意に指定させることができる。したがって、仕切り紙のデザイン設計の自由度が高い。
【０１１０】
（Ｂ）第２の方法
第２の方法では、上記したように、画像形成装置１００のプリンタモジュール３０２が、仕切り紙の画像データを生成する。第１の方法と同様に、ユーザが、端末装置１８０において、アプリケーションを実行し、その結果を印刷する指示をしたとする。また、端末装置１８０には、画像形成装置１００に印刷を実行させるためのデータ（ジョブ）を生成するためのプリンタドライバ３００がインストールされているとする。また、画像形成装置１００のＨＤＤ１０８には、複数種類のフォントデータが記憶されているとする。
【０１１１】
端末装置１８０において、仕切り紙に関する条件を設定する処理は、第１の方法と類似し、その大部分は、図５を参照して説明したのと同様である。したがって、同じ説明を繰返さず、第１の方法と異なる点についてのみ説明する。
【０１１２】
ステップ７１６において端末装置１８０の表示装置に表示される設定画面は、図１１に示す画面４８０である。画面４８０は画面４５０と異なり、領域４６４には、テキストの周囲を囲む枠パターン、及び、テキストを含む所定領域に表示する背景画像の設定項目が表示されていない。これは、画像形成装置１００は、枠パターン及び背景画像のデータを備えていない（ＨＤＤ１０８に記憶していない）からである。また、ここで、プルダウン表示されるフォントの選択候補は、プリンタ１（画像形成装置１００）が備えているフォントの名称である。画像形成装置１００が備えているフォントの名称は、プリンタドライバ３００によって、ネットワーク１９０を介して画像形成装置１００から取得される。
【０１１３】
このように、端末装置１８０の表示装置に表示される仕切り紙の設定画面が異なることから、端末装置１８０が実行するプリンタドライバ３００も次のように異なる。即ち、図５のステップ７０８において、アプリケーションの実行結果から印刷ジョブが生成されるが、仕切り紙画像データ（仕切り紙ジョブ）は生成されない。また、ステップ７１０において、画像形成装置１００に送信される印刷指示データには、印刷ジョブ、及び仕切り紙に関する設定内容（コマンド）が含まれるが、仕切り紙画像データ（仕切り紙ジョブ）は含まれない。ここで送信されるコマンドは、仕切り紙画像データの生成にのみ必要な情報をも含む。したがって、コマンドは、例えば、テキストデータと、フォントの種類、テキストを印刷する位置、仕切り紙のサイズ、仕切り紙のタイプ、及び給紙トレイのそれぞれを特定する情報とを含む。なお、画面４８０においてテキストが入力されていない場合、画像形成装置１００に送信されるテキストデータは、上記したように、仕切り紙が挿入される位置の情報から決定される部数に対応する数字データである。
【０１１４】
図１２に、画像形成装置１００において、端末装置１８０から受信した印刷指示データ（印刷ジョブ及びコマンド）を用いて印刷を実行するプログラムの制御構造を示す。ステップ７５０〜ステップ７７２、及びステップ８００の処理は、ＣＰＵ１０２が、複数のソフトウェアプログラムを実行することにより実現される。即ち、ステップ７５０及びステップ７５２において、ＣＰＵ１０２は、ネットワーク１９０を介してデータを受信する受信モジュールを実行する。ステップ７５４〜ステップ７６２、及びステップ８００において、ＣＰＵ１０２は、プリンタモジュール３０２を実行する。ステップ７６４〜ステップ７７２において、ＣＰＵ１０２は、印刷サービス３０４を実行する。図１２に示したフローチャートの大部分は、図８に示したフローチャートと同じである。したがって、同じ説明を繰返さず、第１の方法と異なる点についてのみ説明する。
【０１１５】
ステップ８００において、ＣＰＵ１０２は、仕切り紙ジョブを生成する。具体的には、ＣＰＵ１０２は、ＨＤＤ１０８に記憶されたコマンドから、仕切り紙の画像データ（仕切り紙ジョブ）を生成するために必要な情報、例えば、仕切り紙に印刷するテキストデータと、部単位で仕切り紙を挿入する位置、フォントの種類、及び、仕切り紙上にテキストを印刷する位置をそれぞれ特定する情報とを読出し、それらにしたがって、仕切り紙ジョブを生成する。
【０１１６】
このように、第２の方法によって、第１の方法と同様に、設定された仕切り紙の条件にしたがって仕切り紙が挿入された、指定部数の印刷物が排紙トレイ９１又は９６に排出される（図９及び図１０参照）。したがって、ユーザは、画像形成装置１００に複数部数の印刷を指示した場合に、印刷結果の仕分けを容易に行なうことができる。即ち、部単位で指定された位置に仕切り紙が挿入されており、各仕切り紙に部数、指定された文字、及び画像等の情報が印刷されているので、ユーザは部数を数える必要がなく、印刷物を仕切り紙の前後で分けるだけでよい。
【０１１７】
第２の方法では、第１の方法と異なり、仕切り紙に任意の画像を印刷することはできないが、端末装置１８０から画像形成装置１００に送信するデータサイズを小さくすることができる。また、端末装置１８０で仕切り紙の画像データ（仕切り紙ジョブ）を生成しないので、端末装置１８０のプリンタドライバ３００による処理時間を短縮することができる。
【０１１８】
（Ｃ）第３の方法
第３の方法では、上記したように、画像形成装置１００の印刷サービス３０４が、仕切り紙の画像データを生成する。第１及び第２の方法と同様に、ユーザが、端末装置１８０において、アプリケーションを実行し、その結果を印刷する指示をしたとする。また、端末装置１８０には、画像形成装置１００に印刷を実行させるためのデータ（ジョブ）を生成するためのプリンタドライバ３００がインストールされているとする。また、画像形成装置１００のＨＤＤ１０８には、複数種類のフォントデータが記憶されているとする。
【０１１９】
端末装置１８０において、仕切り紙に関する条件を設定する処理は、第２の方法と同じである。ステップ７１６において端末装置１８０の表示装置に表示される設定画面は、第２の方法の場合と同じ画面、即ち、図１１に示す画面４８０である。端末装置１８０から画像形成装置１００に送信されるデータも、第２の方法の場合と同じである。したがって、同じ説明を繰返さない。
【０１２０】
図１３に、画像形成装置１００において、端末装置１８０から受信した印刷指示データ（印刷ジョブ及びコマンド）を用いて印刷を実行するプログラムの制御構造を示す。図１３に示したフローチャートの大部分は、図１２に示したフローチャートと同じである。したがって、同じ説明を繰返さず、第２の方法と異なる点についてのみ説明する。
【０１２１】
図１３のフローチャートは、図１２のフローチャートにおいて、ステップ７５６、ステップ７５８及びステップ８００を、ステップ７６２とステップ７６４との間に移動し、ステップ８００をステップ８１０で置換えたものに対応する。図１３のステップ７５６、ステップ７５８及びステップ８１０の処理は、ＣＰＵ１０２が印刷サービス３０４を実行することにより実現される。
【０１２２】
ステップ８１０において、ＣＰＵ１０２は、仕切り紙の画像データを生成する。具体的には、ＣＰＵ１０２は、ＨＤＤ１０８に記憶されたコマンドから、仕切り紙の画像データを生成するために必要な情報、例えば、仕切り紙に印刷するテキストデータと、部単位で仕切り紙を挿入する位置、フォントの種類、及び、仕切り紙上にテキストを印刷する位置をそれぞれ特定する情報とを読出し、それらにしたがって、ラスターイメージの仕切り紙の画像データを生成する。
【０１２３】
このように、第３の方法によって、第１及び第２の方法と同様に、設定された仕切り紙の条件にしたがって仕切り紙が挿入された、指定部数の印刷物が排紙トレイ９１又は９６に排出される（図９及び図１０参照）。したがって、ユーザは、画像形成装置１００に複数部数の印刷を指示した場合に、印刷結果の仕分けを容易に行なうことができる。即ち、部単位で指定された位置に仕切り紙が挿入されており、各仕切り紙に部数、指定された文字、及び画像等の情報が印刷されているので、ユーザは部数を数える必要がなく、印刷物を仕切り紙の前後で分けるだけでよい。
【０１２４】
第３の方法では、第１の方法と異なり、仕切り紙に任意の画像を印刷することはできないが、端末装置１８０から画像形成装置１００に送信するデータサイズを小さくすることができる。また、端末装置１８０で仕切り紙の画像データ（仕切り紙ジョブ）を生成しないので、端末装置１８０のプリンタドライバ３００による処理時間を短縮することができる。
【０１２５】
なお、第２及び第３の方法として示したように、仕切り紙に印刷する画像データは、プリンタモジュール３０２及び印刷サービス３０４の何れによっても生成され得る。しかし、通常、印刷サービス３０４は、プリンタモジュール３０２よりも制限が大きいので、プリンタモジュール３０２で仕切り紙の画像データを生成する構成の方が、印刷サービス３０４で仕切り紙の画像データを生成する構成よりも、仕切り紙に関する設定の自由度を高くすること、即ち、自由度の高い仕切り紙の設定画面をユーザに提供することができる。
【０１２６】
また、第３の方法では、仕切り紙の画像データは印刷サービス３０４でのみ生成されるため、第１及び第２の方法と比較して、ＨＤＤ１０８の使用量を抑制することができる。
【０１２７】
また、第３の方法では、印刷サービス３０４で印刷を実行するときに仕切り紙の画像データを生成するため、画像形成装置１００に装備されたタイマから現在時刻（年月日を含んでもよい）を取得し、その時刻情報を含む仕切り紙画像データを生成することにより、排出時刻が印字された仕切り紙を含む印刷物を出力することができる。
【０１２８】
上記では、端末装置１８０にインストールされているプリンタドライバ３００が、仕切り紙ジョブを生成する場合（第１の方法）、又は、仕切り紙ジョブを生成しない場合（第２及び第３の方法）を説明したが、これに限定されない。プリンタドライバ３００は、ユーザによる指定に応じて、仕切り紙ジョブを生成してもよい。例えば、端末装置１８０の表示装置に、図１４に示すような、追加設定を行なうための背景設定キー４９２を含む画面４９０を表示してもよい。背景設定キー４９２が選択された場合、端末装置１８０のＣＰＵは、図７に示した枠パターン及び背景画像の設定項目を含む画面を表示する。そして、枠パターン又は背景画像の設定項目が設定されると、端末装置１８０のＣＰＵは、図５のステップ７０８において、仕切り紙ジョブを生成し、ステップ７１０において、仕切り紙ジョブを含む印刷指示データを送信する。枠パターン及び背景画像の設定項目が何れも設定されなければ、端末装置１８０のＣＰＵは、図５のステップ７０８において、仕切り紙ジョブを生成せず、ステップ７１０において、仕切り紙ジョブを含まず、仕切り紙の画像データの生成に必要な情報を含む印刷指示データを送信する。
【０１２９】
この場合、画像形成装置１００は、受信した印刷指示データに、仕切り紙ジョブが含まれているか否かに応じて、異なる処理を実行する。即ち、仕切り紙ジョブが含まれていれば、ＣＰＵ１０２は、図８に示したフローチャートの各ステップを実行する。仕切り紙ジョブが含まれていなければ、ＣＰＵ１０２は、図１２又は図１３に示したフローチャートの各ステップを実行する。
【０１３０】
これにより、仕切り紙のデザイン設計の自由度と、仕切り紙の挿入処理の効率化を両立させた仕切り紙挿入機能を実現することができる。即ち、仕切り紙のデザインを優先するユーザは、プリンタドライバによる仕切り紙ジョブの生成によって、処理時間は長くなるが、仕切り紙に背景画像が印刷された仕切り紙が挿入された印刷結果を得ることができる。一方、処理時間を優先するユーザは、プリンタドライバに仕切り紙ジョブの生成を実行させることなく短時間で、仕切り紙が挿入された印刷結果を得ることができる。
【０１３１】
上記では、画像形成装置１００において、ＣＰＵ１０２が、プリンタモジュール３０２及び印刷サービス３０４を実行する場合を説明したが、これに限定されない。例えば、画像形成装置１００は、高速印刷を可能にするために、印刷サービス３０４を実行するプロセッサを別途備えてもよい。
【０１３２】
上記の第２の方法では、ステップ８００において、仕切り紙ジョブが生成される場合を説明したが、これに限定されない。ステップ８００において、図１３のステップ８１０と同様に、仕切り紙ジョブを生成せずに、直接ラスターイメージの仕切り紙画像テータを生成してもよい。その場合、図１２のステップ７６０において、ＣＰＵ１０２は、印刷ジョブに対してのみＲＩＰ処理を実行し、ページ単位のラスターイメージを生成する。
【０１３３】
上記では、テキストが入力されていない場合に、出力部数を仕切り紙に印刷する場合を説明したが、これに限定されない。テキストが入力されていた場合には、仕切り紙に、入力されたテキスト（文字）及び出力部数を印刷してもよい。
【０１３４】
上記では、プリンタドライバ３００が、記録紙に印刷される出力部数を決定し、該当する文字データを含む印刷指示データを画像形成装置１００に送信する場合を説明したが、これに限定されない。印刷指示データは、記録紙に印刷される出力部数の文字データを含んでいなくてもよい。印刷指示データは、仕切り紙の挿入位置の情報を含むので、挿入位置の情報から、画像形成装置１００（ＣＰＵ１０２）は、仕切り紙に印刷すべき出力部数を決定することができる。
【０１３５】
仕切り紙の設定画面は、図７、図１１及び図１４に限定されない。例えば、仕切り紙に関する条件を、複数の設定画面で設定するように構成してもよい。
【０１３６】
図７、図１１及び図１４に示した設定画面では、ユーザは１部毎に仕切り紙を挿入するか否かを設定可能である。このような設定画面であっても、ある程度の印刷部数までであれば、スクロールバー４６０の操作により、仕切り紙の条件を容易に設定可能である。しかし、印刷部数が多くなると、このような設定画面による設定作業は煩雑になる。印刷部数が多い場合には、例えば図１５に示すように、仕切り紙の挿入位置を直接指定する設定画面が好ましい。
【０１３７】
図１５に示した設定画面５００では、ユーザは領域５０２において、所定部数の印刷物を１組として、それに関して仕切り紙の条件を設定することができる。具体的には、領域５０２において、「仕切り紙」の列（左端の列）には、仕切り紙の設定条件を区別する番号が表示されている。即ち、行毎に、仕切り紙の条件が設定される。「テキスト」の列（左から２列目）の各セルは、仕切り紙に印刷するテキストを入力するためのセルである。ユーザはセルを選択して、キーボードから文字を入力することができる。図１５では、３人のユーザＡ〜ユーザＣに配布することが容易に分かるように、各仕切り紙にユーザＡ〜ユーザＣの文字が印刷されるように設定されている。
【０１３８】
「部数」の列（左から３列目）のセルは、印刷部数を入力するためのセルである。ユーザはセルを選択して、キーボードから数値を入力することができる。また、ユーザはセルを選択して、領域５０４の「＋」キー又は「−」キーを、マウス等を用いて操作して、セルに表示されている数値を増減させることができる。
【０１３９】
「仕切り紙挿入位置」の列（右端の列）のセルは、指定された部数を１組の印刷物として、その前に仕切り紙を挿入するか否か、及び、その後ろに仕切り紙を挿入するか否かを設定するためのセルである。各セル中の文字「部数の前」の左側のチェックボックスが、マウス等を用いて選択された場合、１組の印刷物の前に仕切り紙が挿入される。文字「部数の後」の直近の左側のチェックボックスが、マウス等を用いて選択された場合、１組の印刷物の後ろに仕切り紙が挿入される。各セルの２つのチェックボックスを共に選択状態にすることもできる。
【０１４０】
図１５では、選択されているチェックボックスは黒色で表示され、非選択のチェックボックスは白色で表示されている。したがって、図１５の設定では、先ず、テキスト「ユーザＡ」が印刷された仕切り紙が出力され、それに続いて３０部の印刷物が出力される。続いて、テキスト「ユーザＢ」が印刷された仕切り紙が出力された後、２０部の印刷物が出力される。続いて、テキスト「ユーザＣ」が印刷された仕切り紙が出力された後、４０部の印刷物が出力される。
【０１４１】
何れかの行が選択された状態で、詳細設定キー５０６が選択されると、その行に関する詳細設定画面が表示される。詳細設定画面では、図７に関して説明したように、例えば、仕切り紙に印刷するテキストのフォントの種類、テキストを印刷する位置、テキストの周囲を囲む枠パターン、テキストを含む所定領域に表示する背景画像、仕切り紙のサイズ、仕切り紙のタイプ、仕切り紙の給紙トレイ等を設定することができる。
【０１４２】
図１５の設定画面５００においては、領域５０２は、４番目までの仕切り紙の条件が設定できるように表示されている。ユーザがスクロールバー５０８を操作することによって、領域５０２の行がスクロールされ、５番目以降の仕切り紙の条件を設定することができるようになる。
【０１４３】
なお、図１５に示した設定画面５００には、チェックボックス５１０が表示されている。即ち、設定画面５００は、チェックボックス５１０が選択されたときに表示される。チェックボックス５１０が非選択であれば、図１６に示すような、図７と同様の、１部毎に仕切り紙を挿入するか否かを設定する画面５２０が表示される。図１６では、チェックボックス５１０が白色であり、非選択状態である。
【０１４４】
例えば、図６に示した画面４００において、設定キー４１０が選択された場合に、図１５と同様の画面であるがチェックボックス５１０を含まない画面が表示されるようにしてもよいが、チェックボックス５１０を含む図１５の設定画面５００を表示することにより、ユーザは、印刷部数の多寡に応じてより適切な仕切り紙の設定画面を選択することが可能になる。印刷部数が少ない場合、ユーザは、チェックボックス５１０を非選択にすることにより、図１６に示した設定画面５２０に切換えることができる。
【０１４５】
仕切り紙に印刷する文字に関する条件として、上記以外の条件を設定してもよい。例えば、文字のサイズ、及び色等を設定可能にしてもよい。
【０１４６】
仕切り紙に関する条件は、少なくとも仕切り紙の挿入位置、仕切り紙を収容した給紙トレイ、及び仕切り紙のサイズを特定する情報を含んでいればよい。仕切り紙のタイプ及び仕切り紙に印刷する文字（テキスト）に関する情報は、任意である。
【０１４７】
仕切り紙の挿入位置を指定する情報は任意であり、最初に仕切り紙が排出されるまでに排出される印刷物の部数（“０”を含む）、及び、連続して排出される２枚の仕切り紙の間に排出される印刷物の部数を算出できる情報であればよい。これらの部数を直接指定してもよい。
【０１４８】
画像形成装置が、画像形成された記録紙に対して、パンチ及びステープル処理等の後処理を実行可能である場合、後処理が指定されていたとしても、仕切り紙には後処理を実行しないようにすることが好ましい。
【０１４９】
以上、実施の形態を説明することにより本発明を説明したが、上記した実施の形態は例示であって、本発明は上記した実施の形態に限定されるものではなく、種々変更して実施することができる。
【符号の説明】
【０１５０】
１００    画像形成装置
１０２    ＣＰＵ
１０４    ＲＯＭ
１０６    ＲＡＭ
１０８    ＨＤＤ
１１０    ＮＩＣ
１１２    バス
１２０    原稿読取部
１２２    画像形成部
１２４    画像処理部
１２６    仕切り紙データ生成部
１２８    記録紙搬送部
１３０    操作部
１８０    端末装置
１９０    ネットワーク
【図１】
2013237205.tif 000003
【図２】
2013237205.tif 000004
【図３】
2013237205.tif 000005
【図４】
2013237205.tif 000006
【図５】
2013237205.tif 000007
【図６】
2013237205.tif 000008
【図７】
2013237205.tif 000009
【図８】
2013237205.tif 000010
【図９】
2013237205.tif 000011
【図１０】
2013237205.tif 000012
【図１１】
2013237205.tif 000013
【図１２】
2013237205.tif 000014
【図１３】
2013237205.tif 000015
【図１４】
2013237205.tif 000016
【図１５】
2013237205.tif 000017
【図１６】
2013237205.tif 000018